(57)【要約】【課題】携帯端末に搭載されたＩＣカード用リーダ／ライタとの間でも良好に通信することが可能な非接触型ＩＣチップが搭載された光ディスクを提供する。【解決手段】非接触型ＩＣチップ搭載の光ディスク３０において、そこに搭載されるアンテナコイルはディスク基板のセンタホール３３を中心としたループ状またはスパイラル状に配置され、その最大外径を、非接触型ＩＣチップ搭載のＩＣカード１０用のリーダ／ライタにおけるアンテナ配置に対応するように制限する。具体的には、アンテナコイルの最大外径をＩＣカード１０の長辺の長さ以下とし、アンテナコイルの最小内径を光ディスク３０のクランピング領域の最大外径以上とする。【選択図】図８
2008041125.tif 000002
【特許請求の範囲】
【請求項１】
ディスク基板上でその円周方向に沿って形成されたアンテナコイルと、前記アンテナコイルを介して信号が送受信される非接触型ＩＣチップとを備えた光ディスクにおいて、
前記アンテナコイルは前記ディスク基板のセンタホールを中心としたループ状またはスパイラル状に配置され、その最大外径を、非接触型ＩＣチップが搭載されたＩＣカード用のリーダ／ライタにおけるアンテナ配置に対応するように制限したことを特徴とする光ディスク。
【請求項２】
前記ＩＣカードが略長方形の形状であるとき、前記アンテナコイルの最大外径は、前記ＩＣカードの長辺の長さ以下とされていることを特徴とする請求項１記載の光ディスク。
【請求項３】
前記アンテナコイルの最小内径は、光ディスクドライブ内で前記光ディスクをスピンドルモータに対して固定するために当該光ディスクの内周領域に設けられたクランピング領域の最大外径以上とされていることを特徴とする請求項２記載の光ディスク。
【請求項４】
前記アンテナコイルの最大外径は、前記ＩＣカードの長辺の長さである８５．６ｍｍ以下とされ、その最小内径は３３ｍｍ以上とされていることを特徴とする請求項３記載の光ディスク。
【請求項５】
前記アンテナコイルの最大外径は、前記ＩＣカードの長辺の長さ、または、前記光ディスクより外径が小さく規定された小径光ディスクの外径のうちの小さい方の値以下とされていることを特徴とする請求項２記載の光ディスク。
【請求項６】
前記アンテナコイルの最大外径は、前記小径光ディスクの外径である８０ｍｍ以下とされていることを特徴とする請求項５記載の光ディスク。
【請求項７】
前記非接触型ＩＣチップは、電磁誘導方式で通信することを特徴とする請求項１記載の光ディスク。
【請求項８】
前記非接触型ＩＣチップの通信周波数は１３．５６ＭＨｚであることを特徴とする請求項７記載の光ディスク。
【発明の詳細な説明】
【技術分野】
【０００１】
本発明は、ディスク基板上でその円周方向に沿って形成されたアンテナコイルと、アンテナコイルを介して信号が送受信されるＩＣ（Integrated Circuit）チップが搭載された光ディスクに関し、とくにＩＣチップへの信号を送受信するためのアンテナコイルの配置、およびその形状を工夫した光ディスクに関する。
【背景技術】
【０００２】
現在、非接触型ＩＣチップが搭載されたいわゆる近接型ＩＣカードは、交信距離が数ｍｍ〜数１０ｍｍ程度に設計され、主に定期券など交通系カードや電子マネー、住民基本台帳カードなどで広く普及しており、それに伴って近接型ＩＣカードとの通信を可能にするリーダ／ライタが開発されている。
【０００３】
一方、光ディスクに対しても、このような非接触型ＩＣチップを搭載して、例えば著作権保護のための情報を記録することなどが考えられている。非接触型ＩＣチップを備えた光ディスクとしては、ＩＣチップとアンテナがともにディスク基板の内周部、すなわちクランピングエリアやその近傍に配置されたもの、あるいはＩＣチップをディスク基板の内周部に配置し、アンテナだけをディスク基板の外周部の信号記録領域内に配置した非接触ＣＤ−ＲＯＭ（Compact Disc-Read Only Memory）が知られている（例えば、特許文献１参照）。
【０００４】
また、ディスク基板に搭載されたＩＣチップとの間で非接触通信を行うために、記録再生装置（リーダ／ライタ）に、アンテナコイル、静電結合素子または光学結合素子を媒介とする通信機能を持たせたものがある（例えば、特許文献２参照）。
【０００５】
図１３は、従来の通信機能を持った光ディスクのアンテナ配置を示す図である。
この光ディスクは、１２０ｍｍの直径のディスク基板１０１にＩＣチップ１０２とアンテナコイル１０３が配置されている。チャッキング機構によって光ディスクを保持する記録再生装置（光ディスクドライブ）は、コントローラ２０１とリーダ／ライタモジュール２０２を備え、ループ状または複数ターンのスパイラル状のアンテナ２０３が光ディスクのアンテナコイル１０３との間で通信可能となっている。この例では、アンテナコイル１０３はディスク基板１０１の外周部に配置され、クランピングエリア１０４にはＩＣチップ１０２だけが埋め込まれている。なお、図１３では光ディスク上のアンテナコイル１０３とわかりやすく区別するために、リーダ／ライタ側のアンテナ２０３を斜線領域として示している。
【０００６】
こうしたアンテナコイル１０３の配置であれば、記録再生装置内で光ディスクを保持するチャッキング機構に用いられた導電性材料や、チャッキング機構が備えるマグネットなどが、アンテナコイル１０３と対応する適当な位置に配置されたアンテナ２０３との間での通信を阻害することがなくなる。そして、こうしたＩＣチップが搭載された光ディスクでは、光ディスクドライブの内部に搭載されたリーダ／ライタモジュール２０２とだけでなく、光ディスクドライブの外部に設置されたリーダ／ライタとも通信可能であれば、交信距離が数ｍｍないし数１０ｍｍ程度の近接型ＩＣカードと同様、様々なアプリケーションへの利用を考えることができる。
【特許文献１】特開２００１−２９１０７９号公報（段落番号〔０１５５〕、図４７）
【特許文献２】特表２０００−５０９５４１号公報（第１３頁−第１４頁、図３）
【発明の開示】
【発明が解決しようとする課題】
【０００７】
ところで近年、ノート型ＰＣ（Personal Computer），ＰＤＡ（Personal Digital Assistant），携帯電話機などの携帯端末にＩＣカード用リーダ／ライタを搭載しておき、ＩＣカードに対して情報を読み書きして様々な用途に使用することが考えられている。例えば、通常ＩＣカードは表示機能を持たないので、このような携帯端末において、ＩＣカードに記録された情報を読み出して表示するといった用途が考えられている。
【０００８】
このような携帯端末に対しては小型化の要求が強いことから、携帯端末に搭載されるリーダ／ライタ用アンテナコイルはＩＣカードの外形よりも小型に構成され、一般に、アンテナ外形がＩＣカードの内部に包含される程度の大きさになっていることが多い。
【０００９】
一方、図１３に示すような１２０ｍｍの直径の光ディスクには、アンテナコイル１０３がディスク基板１０１の外周部に配置されている。こうした光ディスクとの通信に上述したＩＣカード用のリーダ／ライタを用いる場合、外周部にアンテナコイル１０３が配置されている光ディスクでは、そのアンテナコイル１０３とＩＣカード用のリーダ／ライタのアンテナでは大きさが著しく異なることになる。すなわち、アンテナ相互の大きさや形状の違いのために、ＩＣカード用のリーダ／ライタでは光ディスクとの通信可能な距離が極端に短くなり、もしくは送受信が円滑に行えない。
【００１０】
そこで、光ディスクドライブの外部で通信を行うために、光ディスク専用に設計されたリーダ／ライタを用いることが考えられる。しかし、従来のＩＣカード用のリーダ／ライタとは別に、ＩＣチップを搭載した光ディスクに対応するリーダ／ライタを新たに導入することは、ユーザーにとっては費用の面や設置の煩雑さといった問題があった。
【００１１】
本発明はこのような点に鑑みてなされたものであり、携帯端末に搭載されたＩＣカード用リーダ／ライタとの間でも良好に通信することが可能な非接触型ＩＣチップが搭載された光ディスクを提供することを目的とする。
【課題を解決するための手段】
【００１２】
本発明では、上記問題を解決するために、ディスク基板上でその円周方向に沿って形成されたアンテナコイルと、前記アンテナコイルを介して信号が送受信される非接触型ＩＣチップとを備えた光ディスクにおいて、前記アンテナコイルは前記ディスク基板のセンタホールを中心としたループ状またはスパイラル状に配置され、その最大外径を、非接触型ＩＣチップが搭載されたＩＣカード用のリーダ／ライタにおけるアンテナ配置に対応するように制限したことを特徴とする光ディスクが提供される。
【００１３】
このような光ディスクでは、非接触型ＩＣチップを搭載したＩＣカード用のリーダ／ライタが携帯端末に設けられていた場合に、その携帯端末のリーダ／ライタのアンテナ面の中心に光ディスクの中心を一致させたときに、光ディスク上の非接触型ＩＣチップが良好に通信できるような位置に、アンテナコイルが配置される。
【発明の効果】
【００１４】
本発明の光ディスクによれば、光ディスクドライブの外部において、この光ディスクに搭載された非接触型ＩＣチップ専用のリーダ／ライタを新たに導入することなく、非接触型ＩＣチップを搭載した既存のＩＣカード用の、携帯端末に搭載されたリーダ／ライタを用いて、光ディスク上の非接触型ＩＣチップと確実に通信できるようになり、ＩＣカードとの通信互換性を保つことが可能になる。
【発明を実施するための最良の形態】
【００１５】
以下、図面を参照してこの発明の実施の形態について説明する。なお、以下の実施の形態では、光ディスクの例としてＤＶＤ（Digital Versatile Disk）を想定している。
［第１の実施の形態］
はじめに、本実施の形態に係る光ディスク上の非接触型ＩＣチップとの通信互換性を持つＩＣカードと、ＩＣカード用のリーダ／ライタを搭載した携帯端末について説明する。
【００１６】
図１は、非接触型ＩＣチップ搭載のＩＣカードの外形を示す平面図である。
図１に示す非接触型ＩＣチップ搭載のＩＣカード１０は、ＩＳＯ（International Organization for Standardization）、あるいはＪＩＳ（Japanese Industrial Standard）規格などによって外形寸法が短辺寸法５３．９８ｍｍ、長辺寸法８５．６ｍｍと規定されている。ＩＣカード１０内には、略長方形状のアンテナコイル１１がその外周辺に沿って配置され、このＩＣカード１０の一方の短辺側に近接する位置にＩＣチップ１２が埋め込まれている。また、これらのアンテナコイル１１とＩＣチップ１２は互いに接続されている。ここでは、ＩＣカード１０上にアンテナコイル１１とＩＣチップ１２が見えるように図示しているが、一般には保護シートなどで覆われている。
【００１７】
図２は、携帯端末内部におけるＩＣカード用のリーダ／ライタのアンテナ配置を示す平面図である。
図２に示す携帯端末２０は例えば携帯電話機であり、図２（Ａ）および（Ｂ）は、それぞれ携帯端末２０の表面、および裏面を示している。携帯端末２０の内部には、図２（Ｃ）に示すように、ＩＣカード用のリーダ／ライタ回路モジュール２０ａを備えている。このリーダ／ライタ回路モジュール２０ａの通信対象としては、主に図１に示すＩＣカード１０のように、外形が規定されたＩＣカードを想定している。すなわち、リーダ／ライタ回路モジュール２０ａは略長方形のアンテナコイル２１と接続されている。このアンテナコイル２１は、図１３のものと同様に、その大きさがＩＣカード１０のアンテナコイル１１の大きさに対応するものとなっている。通信状態やＩＣカードから受信したデータは、携帯端末２０の表面に搭載された小型のディスプレイ２２に表示される。
【００１８】
図３は、ＩＣカード用リーダ／ライタによってＩＣカードと情報の送受信を行う状態を示す図である。
図２のような携帯端末２０に搭載されたリーダ／ライタは、携帯端末２０を制御するＣＰＵ（Central Processing Unit）などのコントローラにより制御され、アンテナコイル２１に沿って磁界を発生させる。このとき、例えばＩＣカード１０を人が携帯して取り扱う場合に、そのＩＣカード１０がリーダ／ライタ回路モジュール２０ａのアンテナコイル２１に対して図３（Ａ）に示すような位置にあれば、ＩＣカード１０のアンテナコイル１１には磁界に応じた信号が伝送される。その結果、携帯端末２０ではＩＣカード１０へ信号を書き込んだり、ＩＣカード１０から信号を読み出し、例えば図３（Ｂ）に示すように、「使用可能残額」をディスプレイ２２に表示させたりすることができる。
【００１９】
以上のように、携帯端末２０のような小型電子機器にリーダ／ライタ回路モジュール２０ａとアンテナコイル２１を搭載して、ＩＣカード１０上のＩＣチップ１２と通信する場合、アンテナコイル２１は、ＩＣカード１０のアンテナコイル１１の内部に包含されるような大きさとされて、ＩＣカード１０を携帯端末２０にかざしたときの方向に関係なく、良好な通信が可能となるよう設計される。
【００２０】
つぎに、上記のような携帯端末２０に内蔵されたＩＣカード１０用のリーダ／ライタとの通信互換性を持つように構成された光ディスクについて説明する。図４は、第１の実施の形態に係る光ディスクと携帯端末との通信時の状態を示す図である。
【００２１】
光ディスク３０には、１２０ｍｍの直径のディスク基板にＩＣチップ３１とアンテナコイル３２が配置されている。光ディスク３０の中央部にはセンタホール３３が設けられ、このセンタホール３３の周囲にはクランピングエリア３４が設けられ、さらにその外側の領域には、ＡｇあるいはＡｌなどの材料からなる反射膜（図示せず）が成膜され、この領域が信号記録領域３５とされる。クランピングエリア３４の最大外径は光ディスク３０の各種規格により様々であるが、例えばＩＳＯ／ＩＥＣ（International Electro technical Commission）２３９１２準拠のＤＶＤ−Ｒ（Recordable）の場合は、３３ｍｍと規定されている。そして、ＩＣチップ３１はクランピングエリア３４に搭載され、信号記録領域３５の信号読み取り面とは反対の面にループ状（あるいはスパイラル状）のアンテナコイル３２が形成される。
【００２２】
なお、アンテナコイル３２を信号記録領域３５の反対面に配置することで、アンテナコイル３２を搭載可能な領域が光ディスク３０の内周部に限定されなくなる。したがって、光ディスク３０の記録再生装置内でこの光ディスク３０を保持するチャッキング機構に用いられた導電性材料や、チャッキング機構が備えるマグネットなどが、リーダ／ライタ側のアンテナとの間での通信を阻害しないように、アンテナコイル３２を配置することが可能になる。
【００２３】
そして、このような構成の光ディスク３０では、図４（Ａ）に示すように、外部のリーダ／ライタ、例えば図２に示す携帯端末２０に対して近接させることで、アンテナコイル３２を介して非接触で光ディスク３０上のＩＣチップ３１との通信が可能になる。例えば図４（Ｂ）に示すように、ＩＣチップ３１に格納された光ディスク３０の情報が「２００５．０８  箱根旅行  ３Ｈ２５Ｍ１０Ｓ」のように読み出される。
【００２４】
ここで、光ディスク３０を用いた信号記録および再生を行う光ディスク記録再生装置の構成例を示し、光ディスク３０上のアンテナコイル３２とチャッキング機構との位置関係などについて説明する。図５は、光ディスク記録再生装置の要部の構成を示す平面図である。また図６は、チャッキング機構の一例を示す側面断面図である。
【００２５】
図５において、光ディスク記録再生装置は、ディスクトレイ４０内に搬入された光ディスクをターンテーブル４１上に搭載して回転させるものであって、図６に示すスピンドル部４２、フォーカスやトラッキングなどにより光ディスクに記録された情報の光学的な読み取り、または光ディスクに情報を書き込むための光ピックアップモジュール４３、光ピックアップモジュール４３を光ディスクの半径方向に移動させるスレッド４４を有している。スピンドル部４２は、図６に示すように、ターンテーブル４１上に光ディスクを固定するためのチャッキングプレート４５と、光ディスクを回転させるスピンドルモータ４６からなる。
【００２６】
光ディスク記録再生装置は、さらにアンテナコイル４７、リーダ／ライタモジュール４８、およびコントローラ４９を有していて、アンテナコイル４７に所定の磁界を発生させて、図４で示したような径が１２０ｍｍの光ディスク３０の情報を非接触で読み取ることができる。なお、光ディスク記録再生装置のコントローラ４９は、光ディスクへの信号記録再生を制御するコントローラ機能を兼ねていてもよい。また、ループ形状のアンテナコイル４７は、例えば同心円状またはスパイラル状に１ターンあるいはそれ以上のターン数で形成されている。このアンテナコイル４７の中心は、スピンドル部４２の中心とほぼ一致している。
【００２７】
図７は、図６のチャッキング機構を備えた光ディスク記録再生装置の全体構造を示す断面図である。
ターンテーブル４１は、スピンドルモータ４６の回転軸４６ａと結合されている。このターンテーブル４１の中央部分には磁石４１ａが備えられており、光ディスク記録再生装置に光ディスク３０が挿入され、ターンテーブル４１が上昇すると、この磁石４１ａが光ディスク３０のセンタホール３３から突起した状態になる。一方、全体が導電性素材からなるチャッキングプレート４５は、磁石４１ａの磁力によってターンテーブル４１と結合して、光ディスク３０を上からクランプすることができる。
【００２８】
光ディスク３０のチャッキング時には、スピンドルモータ４６とともにターンテーブル４１が上昇して、光ディスク３０がターンテーブル４１上でクランプされる。チャッキングプレート４５は磁石４１ａの磁力で光ディスク３０をターンテーブル４１に固着させた状態で、一体に回転する。また、光ディスク３０をディスクトレイ４０から排出する際には、スピンドルモータ４６が下降して光ディスク３０をターンテーブル４１から解放するように制御される。
【００２９】
光ディスク３０は、その信号記録領域３５が光ピックアップモジュール４３に対向するようにディスクトレイ４０上に配置される。ＩＣチップ３１と、このＩＣチップ３１に接続されたアンテナコイル３２は、いずれもディスク基板上に配設されており、アンテナコイル３２は、例えば同心円状またはスパイラル状に１ターンあるいはそれ以上のターン数で形成されている。そして、このアンテナコイル３２とほぼ同一の半径で、リーダ／ライタモジュール４８のアンテナコイル４７がチャッキングプレート４５から離れた光ディスク３０の外周側に対向して配置されている。
【００３０】
以上のように、光ディスク３０上のアンテナコイル３２の最小内径を、クランピングエリア３４の最大外径以上とすれば、リーダ／ライタモジュール４８のアンテナコイル４７から発生する磁界により、導電性素材からなるチャッキングプレート４５や、ターンテーブル４１の磁石４１ａの影響を受けずに、アンテナコイル３２とアンテナコイル４７とが電磁誘導結合され、光ディスク３０に搭載されたＩＣチップ３１との間で効率のよい通信が可能となる。
【００３１】
つぎに、上記の光ディスク３０上のＩＣチップ３１を、図４に示したように携帯端末２０に設けられたＩＣカード用のリーダ／ライタ回路モジュール２０ａとの間でも通信できるようにすることを考える。光ディスク３０を、携帯端末２０のアンテナコイル２１に中心を合わせてかざすことを考えると、光ディスク３０のアンテナコイル３２の最大外径についても、ＩＣカード１０用のリーダ／ライタにおけるアンテナ配置に対応するように制限することが必要になる。
【００３２】
図８は、第１の実施の形態に係る光ディスクのアンテナコイル形成領域を示す図である。
アンテナコイル３２の最大外径については、ＩＣカード１０用のリーダ／ライタにおけるアンテナ配置に対応するように、ＩＣチップ１２を内蔵したＩＣカード１０の対角長さ以下に制限することが必要になる。ただし、実際のカード形状はコーナ部分が丸く形成されているために、アンテナコイル３２の最大外径を、ＩＣカード１０の長辺長さ（８５．６ｍｍ）以下とすることが好ましい。
【００３３】
また、上述したように、光ディスクドライブ内でセンタホール３３によって保持される光ディスク３０のクランピングエリア３４の最大外径がＤＶＤ−Ｒの場合は３３ｍｍであることから、この場合の光ディスク３０ではアンテナコイル３２の形成領域の最小内径が３３ｍｍ以上と規定される。なお、この最小内径については、財団法人ニューメディア開発協会による「近接型通信インタフェース実装規約書」（平成１６年３月）においてＩＣカードのアンテナ実装範囲として推奨された領域と部分的に重なっており、この実装規約を満たすＩＣカードとの間で良好な通信が可能となる。
【００３４】
以上のように、光ディスク３０上のアンテナコイル３２の最大外径、最小内径を規定することで、光ディスク記録再生装置の内部では、リーダ／ライタモジュール４８のアンテナコイル４７から発生する交流磁界により、導電性素材からなるチャッキングプレート４５やそこに搭載される磁石４１ａの影響を受けないで、アンテナコイル３２とアンテナコイル４７とが電磁誘導結合される。したがって、光ディスク３０の記録中または再生中であっても、その光ディスク３０に搭載されたＩＣチップ３１との間で効率のよい通信が可能となる。
【００３５】
これとともに、ＩＣカード１０を想定して設計されたリーダ／ライタ用のアンテナコイル２１との間での良好な通信も可能となり、ＩＣカード１０との通信互換性が保たれる。したがって、光ディスク記録再生装置の外部において光ディスク３０上のＩＣチップ３１と通信するための新たなリーダ／ライタを設置する必要がなくなり、その設置の煩雑さや開発・製造ための費用の増加が解消される。また、ＩＣチップ３１を利用可能なアプリケーションの増加も見込むことができ、ＩＣチップ３１を搭載した光ディスク３０の商品価値を高めることができる。
【００３６】
特に、光ディスク３０およびＩＣカード１０に搭載された非接触型ＩＣチップの通信方式が電磁誘導方式であること、さらにはその通信周波数は１３．５６ＭＨｚであることが望ましい。この場合、ＩＣカード１０に搭載された略長方形状のアンテナコイル１１と、ＩＣカード１０用リーダ／ライタのアンテナコイル２１とが、互いに略同じ形状および大きさであるとき、これらのアンテナコイル間の結合度がより高くなる。したがって、上記のように光ディスク３０上のアンテナコイル３２の最大外径および最小内径を規定することで、この光ディスク３０上のＩＣチップ３１と、ＩＣカード１０を想定して設計されたリーダ／ライタとの間で、より良好かつ確実に通信できるようになる。
【００３７】
つぎに、光ディスク３０に対するアンテナコイル３２の具体的な形成方法の例について説明する。
（形成方法１）
図９に示すシートモジュール５０は、外径３６ｍｍ、内径１８ｍｍの円環状の樹脂シート５１を用意し、その直径３３ｍｍ〜３５ｍｍの領域内にスパッタやエッチング、印刷により３〜５ターン程度のアンテナコイル５２を形成したものである。アンテナコイル５２は樹脂シート５１の両面または片面に配し、両面の場合には各面のアンテナコイル５２はスルーホールもしくはカシメにより相互の導通が確保される。
【００３８】
一方、光ディスク３０のクランピングエリア３４には、ＩＣチップ３１が嵌合可能な溝部３６が形成されている。なお、ＩＣチップ３１やコンデンサなどは、光ディスク３０における内径３３ｍｍよりも内側の領域に搭載してもよい。
【００３９】
つぎに、上記のシートモジュール５０を、光ディスク３０のレーベル面にＵＶ（Ultra Violet）硬化性のレジンや接着剤などを用いて貼り付ける。これにより、ＩＣチップ３１およびアンテナコイル５２を、信号記録領域３５を避けてクランピングエリア３４に搭載した光ディスク３０を作成できる。
【００４０】
なお、ここではＤＶＤ−Ｒの規格により３３ｍｍとしたが、各ディスク規格により定められたクランピングエリア３４の最大外径よりアンテナコイル５２の内径が大きく形成されていれば、ＣＤ、ＤＶＤ、ブルーレイディスク（Blu-ray Disc、ソニー株式会社の登録商標）などの構造の異なる光ディスクに対しても、同じ円環状樹脂シートを用いる方法でＩＣチップを搭載することができる。
【００４１】
なお、図９では簡単のために、クランピングエリア３４に信号記録領域３５への遷移領域も含めて示している。このため図９では、外径３６ｍｍのシートモジュール５０がクランピングエリア３４に包含されているように見えるが、実際には、ＤＶＤ−Ｒの規格上のクランピングエリアはシートモジュール５０のアンテナコイル５２の内径よりも内側となる。
【００４２】
（形成方法２）
図１０に示すシートモジュール６０では、例えば直径１１９ｍｍのＰＥＴ（Polyethylene Terephthalate）シート６１上に、エッチングもしくは印刷により外径７５ｍｍ、内径６０ｍｍ、５ターン程度のループ状のアンテナコイル６２が形成されている。そして、アンテナコイル６２の両端は、ＩＣチップ３１が搭載されたジャンパモジュール６３により互いに接続される。ジャンパモジュール６３は、その下面において交差するアンテナコイル６２との絶縁を保ち、アンテナコイル６２の両端にのみ導通してＩＣチップ３１と結線するものである。
【００４３】
一方、光ディスク３０には、射出成形時に、クランピングエリア３４の外側に配置された信号記録領域３５のディスク基板側に、ジャンパモジュール６３と嵌合する溝３７を形成しておく。そして、この光ディスク３０に、ＩＣチップ搭載後のシートモジュール６０をＵＶ硬化性のレジンを使って貼り付ける。
【００４４】
［第２の実施の形態］
ところで、ＤＶＤ用の光ディスク、例えばＤＶＤ−Ｒディスクには、そのディスク外径が１２０ｍｍのものだけでなく、８０ｍｍと小さな径の光ディスクも存在している。このように各種の大きさの光ディスクについて、同じリーダ／ライタを用いてＩＣチップとの良好な通信を可能にする場合には、以下に説明するように、アンテナコイルを配置すべき好適な位置がある。
【００４５】
図１１は、異なる径で構成した光ディスクを示す図、図１２は、第２の実施の形態に係る光ディスクとそのリーダ／ライタを示す図である。
ＤＶＤ−Ｒではディスク外径として、１２０ｍｍと８０ｍｍが規格されており、クランピングエリアの最大外径についても３３ｍｍと規定されている。したがって、図１１（Ａ），（Ｂ）に示すように、直径が１２０ｍｍの光ディスク３０ａと直径が８０ｍｍの光ディスク３０ｂについて、ループ状のアンテナコイル３２の最大外径を８０ｍｍ以下、最小内径を３３ｍｍ以上とすれば、いずれの光ディスク３０ａ，３０ｂに対しても、同一のアンテナパターンが配置可能となる。
【００４６】
これにより、図１２に示すように、リーダ／ライタモジュール４８とコントローラ４９を備えた光ディスク記録再生装置において、ＩＣチップ３１との通信用にドライブ内部に搭載されたアンテナコイル４７の形状を１種類としても、直径が８０ｍｍの光ディスク３０ｂだけでなく、直径が１２０ｍｍの光ディスク３０ａとの通信も可能になる。なお、図１２では光ディスク３０ａのアンテナコイル３２とわかりやすく区別するために、リーダ／ライタ側のアンテナコイル４７を斜線領域として示しているが、アンテナコイル４７は実際にはループ状またはスパイラル状に形成されている。
【００４７】
なお、ディスクへのＩＣチップ３１とアンテナコイル３２の搭載方法は、第１の実施の形態で説明したように、ディスク上に直接形成してもよいし、また別モジュールとして作成したうえで、ディスクと接合する方法でもよい。
【００４８】
この第２の実施の形態によれば、小径ディスク規格と大径ディスク規格というように複数の径のディスク規格が存在する場合、最小径のディスクの外径サイズをディスクに搭載するアンテナコイル３２の最大外径サイズとし、他方、クランピング領域の規格上のサイズをアンテナコイル３２の最小内径サイズとすることにより、ドライブに搭載された一種類のアンテナで、径の異なるディスクに搭載されたあらゆるＩＣチップと通信が可能となり、しかも、チャッキング機構を構成する部品が通信へ与える影響を避けることができる。また、光ディスクに搭載されるアンテナコイルとディスクドライブ内で通信するリーダ／ライタのアンテナコイルの大きさを、各々１種類に決めることができるため、アンテナ搭載光ディスクドライブの設計が容易となる。
【００４９】
ここで、複数のディスク径の規格に対応するだけでなく、さらに非接触型ＩＣが搭載されたＩＣカード用のリーダ／ライタとの通信が可能なように、ＩＣチップ搭載光ディスクのアンテナ径を設定しておくことが望ましい。第１の実施の形態で述べたように、光ディスク上のアンテナコイルの最小内径をクランピングエリアの最大外径以上とし、また、光ディスク上のアンテナコイルの最大外径を、ＩＣカード上のアンテナの長辺長さ、あるいは小径ディスク規格での光ディスクの外径サイズのうちの小さい方の値以下とすることで、共通の光ディスク用リーダ／ライタだけでなく、ＩＣカード用リーダ／ライタとの間でも良好に通信可能なＩＣチップ搭載光ディスクを実現できる。上記の各実施の形態の例では、光ディスク３０に搭載されるアンテナコイル３２を最大外径８０ｍｍ、最小内径３３ｍｍの範囲内に配置すれば、このような通信互換性を実現することが可能となる。
【００５０】
なお、以上では、ＩＳＯ／ＩＥＣ２３９１２で規定されたＤＶＤ−Ｒディスクにおける１２０ｍｍディスクと８０ｍｍディスクについて説明したが、ほかのＤＶＤ規格のディスク（ＤＶＤ−ＲＯＭ，ＤＶＤ−ＲＷ（ReWritable）など）やＣＤ、ブルーレイディスクなどにも適用できる。
【図面の簡単な説明】
【００５１】
【図１】非接触型ＩＣチップ搭載のＩＣカードの外形を示す平面図である。
【図２】携帯端末内部におけるＩＣカード用のリーダ／ライタのアンテナ配置を示す平面図である。
【図３】ＩＣカード用リーダ／ライタによってＩＣカードと情報の送受信を行う状態を示す図である。
【図４】第１の実施の形態に係る光ディスクと携帯端末との通信時の状態を示す図である。
【図５】光ディスク記録再生装置の要部の構成を示す平面図である。
【図６】チャッキング機構の一例を示す側面断面図である。
【図７】図６のチャッキング機構を備えた光ディスク記録再生装置の全体構造を示す断面図である。
【図８】第１の実施の形態に係る光ディスクのアンテナコイル形成領域を示す図である。
【図９】アンテナコイルの形成方法の一例を示す説明図である。
【図１０】アンテナコイルの形成方法の他の例を示す説明図である。
【図１１】異なる径で構成した光ディスクを示す図である。
【図１２】第２の実施の形態に係る光ディスクとそのリーダ／ライタを示す図である。
【図１３】従来の通信機能を持った光ディスクのアンテナ配置を示す図である。
【符号の説明】
【００５２】
１０……ＩＣカード、１１，２１，３２，４７……アンテナコイル、１２，３１……ＩＣチップ、２０……携帯端末、２０ａ……リーダ／ライタ回路モジュール、２２……ディスプレイ、３０……光ディスク、３３……センタホール、４０……ディスクトレイ、４１……ターンテーブル、４２……スピンドル部、４３……光ピックアップモジュール、４４……スレッド、４５……チャッキングプレート、４６……スピンドルモータ、４８……リーダ／ライタモジュール、４９……コントローラ
【図１】
2008041125.tif 000003
【図２】
2008041125.tif 000004
【図３】
2008041125.tif 000005
【図４】
2008041125.tif 000006
【図５】
2008041125.tif 000007
【図６】
2008041125.tif 000008
【図７】
2008041125.tif 000009
【図８】
2008041125.tif 000010
【図９】
2008041125.tif 000011
【図１０】
2008041125.tif 000012
【図１１】
2008041125.tif 000013
【図１２】
2008041125.tif 000014
【図１３】
2008041125.tif 000015